(57)【要約】      （修正有）【課題】吐水口からの異音の発生を低減することができる便器装置を提供すること。【解決手段】便鉢を有する便器本体と、便鉢に水を吐出する吐水口と、吐水口に向けて水を流通させる下流側流路６３、及び下流側流路６３の上流側に設けられ水が導入されると共に下流側流路６３の断面積よりも小径の縮径部６２を有する流路６と、下流側流路６３の内部側に突出するリブ部６３１と、を備える。また、リブ部６３１は、下流側流路６３の下方に配置されることが好ましい。また、リブ部６３１が配置される部分における下流側流路６３の断面積Ｓ２は、縮径部６２の断面積Ｓ１よりも大きいことが好ましい。【選択図】図７
2017040132.tif 000002
【特許請求の範囲】
【請求項１】
便鉢を有する便器本体と、
前記便鉢に水を吐出する吐水口と、
前記吐水口に向けて水を流通させる下流側流路、及び前記下流側流路の上流側に設けられ水が導入されると共に前記下流側流路の断面積よりも小径の縮径部を有する流路と、
前記下流側流路の内部側に突出するリブ部と、を備える便器装置。
【請求項２】
前記リブ部は、前記下流側流路の下方に配置される請求項１に記載の便器装置。
【請求項３】
前記リブ部が配置される部分における前記下流側流路の断面積は、前記縮径部の断面積よりも大きい請求項１又は２に記載の便器装置。
【発明の詳細な説明】
【技術分野】
【０００１】
本発明は、便器本体を備える便器装置に関する。
【背景技術】
【０００２】
従来、便鉢を有する便器本体を備える便器装置において、便器本体の上縁の内部において略全周に設けられた通水路に、複数の射水孔が形成された便器装置が知られている。このような便器装置は、複数の射水孔から便鉢の内面に洗浄水を射出することで、洗浄水が便器本体の上縁の内部の通水路に沿って右回り及び左回りに流れる。これにより、複数の射水孔から便鉢の内面に洗浄水が射出され、洗浄水が便鉢の内面を洗浄するように構成される。
このような便器装置において、複数の射水孔の内部に閉じ込められた空気が洗浄水に巻き込まれて気泡混じりの水の流れとなり、各射水孔から気泡混じりの洗浄水が射出されるときに、異音が発生するという問題があった。
【０００３】
これに対して、洗浄水が通水路に沿って右回り及び左回りに流れることで合流される合流部に空気抜孔を設ける便器装置が提案されている（例えば、特許文献１参照）。特許文献１に記載の便器装置においては、空気抜孔を通じて空気を追い出すことにより、通水路に空気が残留することを抑制して、異音の発生を低減することができるとされている。
【先行技術文献】
【特許文献】
【０００４】
【特許文献１】特開平６−３４１１６２号公報
【発明の概要】
【発明が解決しようとする課題】
【０００５】
ところで、便器本体に１つ又は２つ程度の吐水口を設けて、便鉢の内面に水を吐水することで、洗浄水が便鉢の内面を洗浄する便器装置がある。便器本体に１つ又は２つ程度の吐水口を設ける便器装置においても、上述の複数の射水孔が形成された便器装置のように、洗浄水が吐水される際に、吐水口からの異音の発生は問題となり得る。
【０００６】
本発明は、吐水口からの異音の発生を低減することができる便器装置を提供することを目的とする。
【課題を解決するための手段】
【０００７】
本発明は、便鉢を有する便器本体と、前記便鉢に水を吐出する吐水口と、前記吐水口に向けて水を流通させる下流側流路、及び前記下流側流路の上流側に設けられ水が導入されると共に前記下流側流路の断面積よりも小径の縮径部を有する流路と、前記下流側流路の内部側に突出するリブ部と、を備える便器装置に関する。
【０００８】
また、前記リブ部は、前記下流側流路の下方に配置されることが好ましい。
【０００９】
また、前記リブ部が配置される部分における前記下流側流路の断面積は、前記縮径部の断面積よりも大きいことが好ましい。
【発明の効果】
【００１０】
本発明によれば、吐水口からの異音の発生を低減することができる便器装置を提供することができる。
【図面の簡単な説明】
【００１１】
【図１】本発明の一実施形態に係る便器装置１を左方側から視た場合の斜視図である。
【図２】本発明の一実施形態に係る便器装置１を右方側から視た場合の斜視図である。
【図３】本発明の一実施形態に係る便器装置１を上方から視た場合の断面図である。
【図４】本発明の一実施形態に係る便器装置１の第１下段流路６３を側方から視た場合の部分拡大図である。
【図５】本発明の一実施形態に係る便器装置１の第１導入口６２の部分拡大図である。
【図６】本発明の一実施形態に係る便器装置１の第１下段流路６３におけるリブ部６３１が形成された部分の部分拡大図である。
【図７】本発明の一実施形態に係る便器装置１における第１導入流路６の洗浄水の流れを模式的に示す図である。
【発明を実施するための形態】
【００１２】
以下、本発明の便器装置１の一実施形態について、図１〜図７を参照しながら説明する。なお、本実施形態においては、便器本体２を正面から視た場合（便器本体２に対面した場合、図１の紙面を右側から視た場合、図２の紙面を左側から視た場合）における左右の向きを左右方向といい、便器本体２を正面から視た場合（便器本体２に対面した場合、図１の紙面を右側から視た場合、図２の紙面を左側から視た場合）における前後の向きを前後方向という。
【００１３】
本実施形態の便器装置１は、壁掛け式の便器装置である。図１及び図２に示すように、便器装置１は、便器本体２と、一対のカバー部材３，３と、便座（図示せず）と、便蓋（図示せず）と、を備える。便座（図示せず）及び便蓋（図示せず）は、便器本体２の上部に配置され、便器本体２に対して開閉可能に取り付けられる。
【００１４】
便器本体２は、トイレ室の壁１０に取り付けられている。一対のカバー部材３，３は、便器本体２の凹部２ａ（図４参照）を塞ぐように、便器本体２の両側の側部に取り付けられている。
【００１５】
便器本体２は、衛生陶器により形成される。便器本体２は、図１〜図４に示すように、便鉢２１と、吐水口としての第１吐水口２３と、第２吐水口２４と、洗浄水導水路４と、を有する。
【００１６】
便鉢２１は、上面が開放された椀状に形成される汚物受け面２５と、便鉢２１の上部において便鉢２１の開口の上端部の周縁に沿うように配置されるリム部２２と、汚物受け面２５とリム部２２との間に配置される棚部２６と、汚物受け面２５よりも下方に配置される凹部２７と、凹部２７の後方且つ下方に配置される便器排水路入口２１１と、を備える。
リム部２２は、便器本体２の上端部の周縁から内側に突出して形成される（ひさし状に張り出したオーバーハングした形状を有する）。リム部２２の後方の内部には、洗浄水導水路４が形成される。
便器排水路入口２１１は、立壁２１１ａに囲まれており、図示しない排水トラップ管路に接続されている。
【００１７】
第１吐水口２３及び第２吐水口２４は、便鉢２１の内部の上端において、リム部２２の下方に形成されている。第１吐水口２３及び第２吐水口２４は、便器装置１を洗浄する際に、便鉢２１の内面に沿って、洗浄水（水）を便鉢２１の内部に吐水する。
【００１８】
第１吐水口２３は、図１及び図３に示すように、便鉢２１の後方に設けられる。第１吐水口２３は、便鉢２１の内部の上端において、便鉢２１の左右方向の中央よりも右方寄りに配置され、便器本体２の左方に向けて開口している。
【００１９】
第２吐水口２４は、図２及び図３に示すように、便鉢２１の左方に設けられる。第２吐水口２４は、便鉢２１の内部の上端において、便鉢２１の前後方向の略中央に配置され、便器本体２の前方に向けて開口している。
【００２０】
洗浄水導水路４は、図３及び図４に示すように、リム部２２の後方の内部に形成される。洗浄水導水路４は、洗浄水を、第１吐水口２３及び第２吐水口２４に向けて流通させる。第１吐水口２３及び第２吐水口２４は、洗浄水導水路４を通して流通された洗浄水を、便鉢２１の内部に吐出する。
【００２１】
洗浄水導水路４は、給水流路５と、流路としての第１導入流路６と、第２導入流路７と、を有する。
給水流路５には、便器本体２の後方から洗浄水が供給される。給水流路５に供給された洗浄水は、第１導入流路６と、第２導入流路７と、に分岐されて流通される。第１導入流路６は、洗浄水を便器本体２の右方側に流通させて、洗浄水を第１吐水口２３へ流通させる流路である。第２導入流路７は、洗浄水を便器本体２の左方側に流通させて、洗浄水を第２吐水口２４へ流通させる流路である。
【００２２】
第１導入流路６は、図３及び図４に示すように、第１上段流路６１と、縮径部としての第１導入口６２と、下流側流路としての第１下段流路６３と、を有する。第１導入流路６を流通する洗浄水は、第１上段流路６１、第１導入口６２及び第１下段流路６３を通り、第１吐水口２３から便鉢２１の内部に吐水される。
【００２３】
第１上段流路６１は、給水流路５の下流側の端部に接続されている。第１上段流路６１は、リム部２２の内部において、略水平に形成され、便器本体２の左右方向の略中央から右方に向かうにしたがって前方に向かうように傾斜して延びる。第１上段流路６１は、給水流路５により供給された洗浄水を、第１導入口６２に向かって流通させる。
【００２４】
第１導入口６２には、第１上段流路６１を流通された洗浄水（水）が導入される。第１導入口６２は、第１下段流路６３の上流側に設けられる。第１導入口６２は、第１下段流路６３の断面積よりも小径で開口する。
第１導入口６２は、第１板状部６２１を円形状に貫通して形成される。第１板状部６２１は、リム部２２の内部において、便器本体２の右方側に形成された板状の部分である。第１板状部６２１は、上下方向に延びると共に、便器本体２の左右方向の略中央から右方に向かうにしたがって前方に向かうように延びる。
【００２５】
第１導入口６２は、断面積が第１上段流路６１よりも狭まって形成されている。本実施形態では、第１導入口６２の断面積及び第１上段流路６１の断面積は、水の流れ方向に直交する方向の断面積を意味する。つまり、洗浄水が第１上段流路６１から第１導入口６２に導入される際には、第１導入口６２において、洗浄水の流路が狭まる。
【００２６】
第１下段流路６３は、図３及び図４に示すように、第１導入口６２と第１吐水口２３とを接続する。第１下段流路６３は、第１吐水口２３に向けて洗浄水を流通させる。
第１下段流路６３は、第１導入口６２及び第１上段流路６１よりも下方に配置される。第１下段流路６３は、リム部２２の内部において、第１導入口６２及び第１上段流路６１よりも下方において、略水平に形成されている。
第１下段流路６３は、第１上段流路６１に対して、第１導入口６２を挟んで折り返されて、便器本体２の左右方向の右方から略中央に向かうにしたがって後方側に向かうように延びている。
【００２７】
第１下段流路６３は、断面積が第１導入口６２よりも広がって形成されている。本実施形態では、第１下段流路６３の断面積及び第１導入口６２の断面積は、水の流れ方向に直交する方向の断面積を意味する。つまり、洗浄水が第１導入口６２から第１下段流路６３に導入される際には、第１下段流路６３において、洗浄水の流路は広がる。これにより、第１導入口６２に対して第１下段流路６３の流路が広がるため、第１下段流路６３には、空気を巻き込んだ洗浄水が第１導入口６２から導入される。
【００２８】
第１下段流路６３には、第１吐水口２３の近傍において、第１下段流路６３の内部側に突出するリブ部６３１が形成されている。リブ部６３１は、第１下段流路６３の下方に配置される。リブ部６３１は、厚みを有する板状に形成され、第１下段流路６３の底面から、所定の高さで、上方に向けて延びている。リブ部６３１の上面は、水平に形成されている。リブ部６３１は、第１下段流路６３の幅方向の全域に亘って延びている。
【００２９】
図５及び図６に示すように、リブ部６３１が配置される部分における第１下段流路６３の断面積Ｓ２は、第１導入口６２の断面積Ｓ１よりも大きい（Ｓ２＞Ｓ１）。
また、第１導入流路６の洗浄水の流れを模式的に示す図７において、第１下段流路６３における第１導入口６２とリブ部６３１との間の部分の断面積Ｓ３は、第１導入口６２の断面積Ｓ１よりも大きい（Ｓ３＞Ｓ１）。リブ部６３１が配置される部分における第１下段流路６３の断面積Ｓ２は、第１下段流路６３における第１導入口６２とリブ部６３１との間の部分の断面積Ｓ３よりも小さい（Ｓ２＜Ｓ３）。
【００３０】
このように構成される第１導入流路６においては、図３及び図４に示すように、第１導入流路６を流通する洗浄水は、第１上段流路６１を通り、第１上段流路６１に対して、第１導入口６２を挟んで折り返されて、第１下段流路６３に導かれる。
第１導入口６２から導入された洗浄水は、図７に示すように、第１導入口６２（断面積Ｓ１）よりも断面積が広がった第１下段流路６３（断面積Ｓ３）を流通する。第１下段流路６３を流通する洗浄水は、第１下段流路６３（断面積Ｓ３）よりも断面積が狭まった第１下段流路６３におけるリブ部６３１が配置された部分（断面積Ｓ２）を通過する。そして、第１下段流路６３を通過した洗浄水は、第１吐水口２３から便鉢２１の内部に吐水される。
【００３１】
第２導入流路７は、図３及び図４に示すように、第２上段流路７１と、第２導入口７２と、第２下段流路７３と、を有する。第２導入流路７を流通する洗浄水は、第２上段流路７１、第２導入口７２及び第２下段流路７３を通り、第２吐水口２４から便鉢２１の内部に吐水される。
【００３２】
第２上段流路７１は、給水流路５の下流側の端部に接続されている。第２上段流路７１は、リム部２２の内部において、略水平に形成され、便器本体２の左右方向の略中央から左方に向かうにしたがって前方に向かうように傾斜して延びる。第２上段流路７１は、給水流路５により供給された洗浄水を第２導入口７２に向かって流通させる。
【００３３】
第２導入口７２には、第２上段流路７１を流通された洗浄水（水）が導入される。第２導入口７２は、第２下段流路７３の上流側に設けられる。第２導入口７２は、第２下段流路７３の断面積よりも小径で開口する。
第２導入口７２は、第２板状部７２１を円形状に貫通して形成される。第２板状部７２１は、リム部２２の内部において、便器本体２の左方側に形成された板状の壁部である。第２板状部７２１は、上下方向に延びると共に、便器本体２の左右方向の略中央から左方に向かうにしたがって前方に向かうように延びる。
【００３４】
第２導入口７２は、断面積が第２上段流路７１よりも狭まって形成されている。本実施形態では、第２導入口７２の断面積及び第２上段流路７１の断面積は、水の流れ方向に直交する方向の断面積を意味する。つまり、洗浄水が第２上段流路７１から第２導入口７２に導入される際には、第２導入口７２において、洗浄水の流路が狭まる。
【００３５】
第２下段流路７３は、図３及び図４に示すように、第２導入口７２と第２吐水口２４とを接続する。第２下段流路７３は、第２吐水口２４に向けて洗浄水を流通させる。
第２下段流路７３は、第２導入口７２及び第２上段流路７１よりも下方に配置される。第２下段流路７３は、リム部２２の内部において、第２導入口７２及び第２上段流路７１よりも下方において、略水平に形成されている。
第２下段流路７３は、第２導入口７２の軸方向に沿った方向に延びる。第２下段流路７３は、第２導入口７２を挟んで、第２上段流路７１に対して屈曲されて、便器本体２の前後方向に延びる。
【００３６】
第２下段流路７３は、断面積が第２導入口７２よりも広がって形成されている。本実施形態では、第２下段流路７３の断面積及び第２導入口７２の断面積は、水の流れ方向に直交する方向の断面積を意味する。つまり、洗浄水が第２導入口７２から第２下段流路７３に導入される際には、第２下段流路７３において、洗浄水の流路は広がる。
【００３７】
このように構成される第２導入流路７においては、図３に示すように、第２導入流路７を流通する洗浄水は、第２上段流路７１を通り、第２導入口７２により流通方向を略直交方向に変更されて、第２下段流路７３に導かれる。
第２下段流路７３に通過した洗浄水は、第２吐水口２４から便鉢２１の内部に吐水される。
【００３８】
以上のように、第１吐水口２３、第２吐水口２４及び洗浄水導水路４が構成されることで、使用者が便器装置１を使用した後、便器洗浄（小洗浄または大洗浄）を実行すると、洗浄水が洗浄水導水路４を通り、第１吐水口２３及び第２吐水口２４から洗浄水が吐水される。第１吐水口２３及び第２吐水口２４から吐水された洗浄水は、便器本体２の上端の内面を周回して流れた後、便鉢２１の内面に沿って周回しながら下方に流れる。即ち、便鉢２１の内部に洗浄水による横方向及び縦方向の旋回流が形成され、この横方向及び縦方向の旋回流により便鉢２１の内面に付着した汚物等が洗い流されて中央側に集められた後、便器排水路入口２１１（図３参照）を介して、外部に排出される。
【００３９】
次に、第１下段流路６３にリブ部６３１を設けたことによる作用について説明する。
なお、本実施形態においては、図３及び図４に示すように、第１導入流路６において、第１下段流路６３は、第１上段流路６１に対して、第１導入口６２を挟んで折り返されて延びている。ここで、本発明の作用の説明においては、図７に示すように、第１上段流路６１から、第１導入口６２、第１導入流路６の流路を模式的に直線状に示した。第１下段流路６３を流通する洗浄水の作用について、流路を模式的に示した図７により説明する。
【００４０】
図７に示すように、第１導入流路６において、洗浄水は、第１上段流路６１を流通されて、第１導入口６２から第１下段流路６３に導入される。第１導入口６２（断面積Ｓ１）から導入された洗浄水は、第１導入口６２（断面積Ｓ１）よりも断面積が広がった第１下段流路６３（断面積Ｓ３）を流通する。ここで、第１導入口６２は、第１下段流路６３の断面積よりも小径に縮径して開口する。そのため、第１導入口６２から第１下段流路６３に導入された洗浄水は、空気を巻き込んで導入される。空気を巻き込んで第１下段流路６３に導入された洗浄水からは、異音が発生することがある。
【００４１】
本発明においては、第１下段流路６３の下方には、リブ部６３１が形成される。そのため、図７に示すように、第１下段流路６３（断面積Ｓ３）を流通する洗浄水は、第１下段流路６３（断面積Ｓ３）よりも断面積が狭まった第１下段流路６３におけるリブ部６３１が配置された部分（断面積Ｓ２）を通過する。第１下段流路６３は、第１下段流路６３におけるリブ部６３１が配置される部分において流路が狭まる。これにより、第１下段流路６３におけるリブ部６３１が設けられる部分は、リブ部６３１の上方において、洗浄水で満たされやすくなる。このため、第１下段流路６３におけるリブ部６３１が設けられる部分は、洗浄水が満たされて、空気層が少なくなり、又は、空気層が存在しなくなる。
よって、空気を巻き込んだ洗浄水が第１下段流路６３に導入されても、第１下段流路６３にリブ部６３１を設けたことにより、異音が伝播する空気層が少なくなる。よって、第１吐水口２３からの異音の発生を低減することができる。
【００４２】
また、第１下段流路６３にリブ部６３１を設けることにより、リブ部６３１に洗浄水がぶつかることで洗浄水の勢いが弱められる。これにより、第１吐水口２３から洗浄水が勢いよく飛び出すことが抑制される。また、洗浄水の横方向の旋回流を弱めて、洗浄水の縦方向の旋回流を強めることができる。これにより、洗浄水の横方向の旋回流が強い場合であっても、洗浄水を横方向に旋回させるだけでなく縦方向へ流れやすくして、軽い汚物等が便鉢２１に残存することを低減することができる。
【００４３】
また、本実施形態においては、リブ部６３１は、第１下段流路６３の下方に配置される。そのため、洗浄水は、第１下段流路６３の下方側から満たされていくため、洗浄水がリブ部６３１を乗り越えて、リブ部６３１の上方に形成される空気層を少なくしやすい。これにより、異音が伝播する空気層をより少なくしやすいため、第１吐水口２３からの異音の発生をより低減することができる。
【００４４】
ここで、図５〜図７に示すように、リブ部６３１が配置される部分における第１下段流路６３の断面積Ｓ２は、第１導入口６２の断面積Ｓ１よりも大きい（Ｓ２＞Ｓ１）。そのため、第１導入口６２により流路が狭くなったことにより流量が少なくなった洗浄水について、第１吐水口２３から吐水される洗浄水の流量を制限せずに、流量を確保した状態で、第１吐水口２３から洗浄水を吐水することができる。
【００４５】
なお、第１下段流路６３にリブ部６３１を設けた構成において、第１導入口６２から第１吐水口２３までの洗浄水の流路は、直線状の流路であっても、途中で折り返された流路であっても、上述のような作用と同様の作用が奏される。
【００４６】
また、図７に示す模式図においては、第１下段流路６３は、水平に形成されているが、これに限らない。例えば、第１下段流路６３は、第１導入口６２から第１吐水口２３に向かうにしたがって下るように傾斜して形成されていてもよいし、第１導入口６２から第１吐水口２３に向かうにしたがって上るように傾斜して形成されていてもよい。
【００４７】
以上説明した本実施形態の便器装置１によれば、以下のような効果を奏する。
本実施形態においては、便鉢２１を有する便器本体２と、便鉢２１に洗浄水を吐出する第１吐水口２３と、第１吐水口２３に向けて洗浄水を流通させる第１下段流路６３、及び第１下段流路６３の上流側に設けられ洗浄水が導入されると共に第１下段流路６３の断面積よりも小径の第１導入口６２を有する第１導入流路６と、第１下段流路６３の内部側に突出するリブ部６３１と、を備える。
【００４８】
そのため、第１下段流路６３におけるリブ部６３１が配置される部分は、流路が狭くなるため、洗浄水で満たされやすくなり、空気層が少なくなる。これにより、空気を巻き込んだ洗浄水が第１下段流路６３に導入されても、リブ部６３１により、異音が伝播する空気層が少なくなる。よって、第１吐水口２３からの異音の発生を低減することができる。
【００４９】
また、第１下段流路６３にリブ部６３１を設けることにより、リブ部６３１に洗浄水がぶつかることで洗浄水の勢いが弱められる。これにより、第１吐水口２３から洗浄水が勢いよく飛び出すことが抑制される。
【００５０】
また、第１吐水口２３から吐出する洗浄水の勢いが弱められるため、洗浄水の横方向の旋回流を弱めて、洗浄水の縦方向の旋回流を強めることができる。これにより、洗浄水の横方向の旋回流が強い場合であっても、洗浄水を横方向に旋回させるだけでなく縦方向へ流れやすくして、軽い汚物等が便鉢２１に残存することを低減することができる。
【００５１】
また、本実施形態においては、リブ部６３１は、第１下段流路６３の下方に配置される。そのため、洗浄水は、第１下段流路６３の下方側から満たされていくため、洗浄水がリブ部６３１を乗り越えて、リブ部６３１の上方に形成される空気層を少なくしやすい。これにより、異音が伝播する空気層をより少なくしやすいため、第１吐水口２３からの異音の発生をより低減することができる。
【００５２】
また、本実施形態においては、リブ部６３１が配置される部分における第１下段流路６３の断面積Ｓ２は、第１導入口６２の断面積Ｓ１よりも大きい（Ｓ２＞Ｓ１）。第１導入口６２により流路が狭くなったことにより流量が少なくなった洗浄水について、第１吐水口２３から吐水される洗浄水の流量を制限せずに、流量を確保した状態で、第１吐水口２３から洗浄水を吐水することができる。
【００５３】
以上、本発明の便器装置１の好ましい実施形態について説明したが、本発明は、上述した実施形態に制限されるものではなく、適宜変更が可能である。
例えば、前記実施形態では、リブ部６３１を第１導入流路６の第１下段流路６３に設けたが、これに限らず、リブ部６３１を第２導入流路７の第２下段流路７３に設けてもよい。
【００５４】
また、前記実施形態では、リブ部６３１を第１下段流路６３の下方に配置したが、これに限らない。例えば、リブ部６３１を第１下段流路６３の上方や側方に配置してもよい。
【００５５】
また、前記実施形態では、便器装置１を、壁掛け式の便器装置としたが、これに限らず、床置き式の便器装置としてもよい。
【符号の説明】
【００５６】
１  便器装置
２  便器本体
６  第１導入流路（流路）
２１  便鉢
２３  第１吐水口（吐水口）
６２  第１導入口（縮径部）
６３  第１下段流路（下流側流路）
６３１  リブ部
【図１】
2017040132.tif 000003
【図２】
2017040132.tif 000004
【図３】
2017040132.tif 000005
【図４】
2017040132.tif 000006
【図５】
2017040132.tif 000007
【図６】
2017040132.tif 000008
【図７】
2017040132.tif 000009